(57)【要約】【課題】ばね強さとカルチベータ本体の下限位置をそれぞれ別々に制御することができるカルチベータユニットの自動高低支持装置を提供する。【解決手段】カルチベータ本体の中骨ビーム間に弾力支持装置を架設したカルチベータユニットにおいて、前記弾力支持装置を以下のように構成する。すなわち、下端付近軸方向に複数段のばね受け係止部を設け、上端付近軸方向に複数段のストッパ係止部を設けたばねガイド棒に螺旋ばねを外嵌装着する。このばねガイド棒の下端部をカルチベータ本体の中骨ビームに軸着する。このばねガイド棒上端を前記ベースフレームの上方へ突出させ、任意のストッパ係着部に装着したストッパをベースフレームの上面に係止させることができるようにするとともに、ばねガイド棒下端部の任意のばね受け係止部に前記螺旋ばねの下端を係止できるようにする。【選択図】図２
2010273571.tif 000002
【特許請求の範囲】
【請求項１】
トラクタ牽引バーに取り付けられるベースフレームに、平行リンクを介してカルチベータ本体を揺動可能に連結し、ベースフレームとカルチベータ本体の中骨ビーム間に弾力支持装置を架設したカルチベータユニットにおいて、前記弾力支持装置が、下端付近軸方向に複数段のばね受け係止部を設けるとともに、上端付近軸方向に複数段のストッパ係止部を設けたばねガイド棒に螺旋ばねを外嵌装着し、このばねガイド棒の下端部をカルチベータ本体の中骨ビームに軸着するとともに、ばねガイド棒上端を前記ベースフレームの上方へ突出させ、任意のストッパ係着部に装着したストッパをベースフレームの上面に係止させることができ、且つ、ばねガイド棒下端部の任意のばね受け係止部に螺旋ばねの下端を係止できるようにしたことを特徴とするカルチベータユニットの自動高低支持装置
【発明の詳細な説明】
【技術分野】
【０００１】
本発明はトラクタなどの牽引車によって牽引されるバーに取付けて使用するカルチベータユニットの自動高低支持装置に関する。
【背景技術】
【０００２】
トラクタに牽引される横バーの長手方向に沿って複数のカルチベータユニットを取付け、広い圃場を所定の横巾で耕すカルチベータ装置の各ユニットは、牽引バーに取付けられるベースフレームに、平行リンクを介してカルチベータ本体を揺動可能に連結し、ベースフレームとカルチベータ本体の中骨ビーム間に弾力的な高低支持装置を架設して、カルチベータ本体の下方へ延びる深耕爪部材で地面を耕作している。
【発明の概要】
【発明が解決しようとする課題】
【０００３】
従来のカルチベータユニットは、所定張力の螺旋ばねの両端をベースフレームとカルチベータ本体に係着してカルチベータ本体フレームを弾力的に支持していた。
ところが、トラクタのタイヤ部は自重で沈下するため、牽引バーの軸方向に沿って取付けられる複数のカルチベータユニットは、畝間の溝高さがタイヤ部とそれ以外とでは不均一になり、タイヤ部の畝の深耕に支障をきたすという問題があった。
このような場合、各畝間のカルチベータユニットの爪の作用深度を均等にするためにはトラクタタイヤ部に対応するカルチベータユニットのばね強さを増せばよい。しかしながら、どの程度増せばよいかはトラクタの重量や畑の土の硬さによって異なるため、多種のばねを用意してその都度付け換える必要があり、調整作業が煩雑になる。
【０００４】
他方、この種の自動高低支持装置（機構）は、トラクタのロワリンクを持ち上げた際にはトラクタのタイヤとカルチベータのゲージホイルが接近する構造になっており、また、トラクタのロワリンクの長さはトラクタの機種・銘柄によって異なる。
カルチベータ作業は作物列に対してできるだけ正確に作用させなければならないため、トラクタハンドル操作によって後部に装着されたカルチベータが左右に振れにくくする必要があるところから、トラクタとカルチベータはできるだけ接近させて連結するのが望ましい。このため、従来は、トラクタのロワリンクを持ち上げたときに、トラクタのタイヤとカルチベータのゲージホイルが接触寸前の位置関係になるようにロワリンクの取付位置を前後に移動させる構造にしている。従って、カルチベータの爪を下方へ変位させると、カルチベータ本体の中骨ビーム前部に取付けたゲージホイルがトラクタのタイヤに接触してしまうという問題があった。
【０００５】
従って、本発明の目的は、螺旋ばねを交換することなく、ばね強さとカルチベータ本体の下限位置をそれぞれ別々に制御することができるカルチベータユニットの自動高低支持装置を提供することにある。
【課題を解決するための手段】
【０００６】
上記目的を達成するために、本発明のカルチベータ自動高低支持装置は、トラクタ牽引バーに取り付けられるベースフレームに、平行リンクを介してカルチベータ本体を揺動可能に連結し、ベースフレームとカルチベータ本体の中骨ビーム間に弾力支持装置を架設したカルチベータユニットにおいて、前記弾力支持装置が、下端付近軸方向に複数段のばね受け係止部を設けるとともに、上端付近軸方向に複数段のストッパ係止部を設けたばねガイド棒に螺旋ばねを外嵌装着し、このばねガイド棒の下端部をカルチベータ本体の中骨ビームに軸着するとともに、ばねガイド棒上端を前記ベースフレームの上方へ突出させ、任意のストッパ係着部に装着したストッパをベースフレームの上面に係止させることができ、且つ、ばねガイド棒下端部の任意のばね受け係止部に螺旋ばねの下端を係止できるようにしたことを特徴とする。
【発明の効果】
【０００７】
本発明は上記の構成になるので、ばねガイド棒下端付近に設けた複数段のばね受け係止部のうち、任意の位置のばね受け係止部を選択してばね下端を係止することにより、自動高低支持装置のばね強さを変更し、カルチベータユニットの爪の作用深度を調整することができる。
他方、ばねガイド棒上端付近に設けた複数段のストッパ係止部のうち、任意の位置のストッパ係止部を選択してベースフレーム上面に係止させることにより、カルチベータ本体の下限位置を変え、トラクタとカルチベータ本体の牽引バーを接近させたまま、トラクタタイヤとカルチベータユニットのゲージホイルの接触・衝突を避けることができる。
このように、自動高低支持装置のばね強さとカルチベータユニットの下限位置を別々に制御することができる。また、その結果として、ばね強さとカルチベータユニット下限位置を併せて制御することもできる。
【図面の簡単な説明】
【０００８】
【図１】牽引バーに取付けた本発明のカルチベータユニット側面図
【図２】カルチベータユニットの分解図
【図３】カルチベータユニットの使用説明図
【図４】カルチベータユニットの作用説明図
【図５】カルチベータユニットの作用説明図
【図６】カルチベータユニットの作用説明図
【図７】カルチベータユニットの作用説明図
【発明を実施するための形態】
【０００９】
以下、本発明の好ましい実施例を添付図面に基づいて説明する。
本発明のカルチベータユニット１は、図１乃至図３に示すように、トラクタ１８の牽引バー２に固定されるベースフレーム３と、このベースフレーム３に平行リンク４を介し揺動可能に連結されたカルチベータ本体５と、このカルチベータ本体５を前記ベースフレーム３に弾力的に支持させる自動高低支持装置６を備えている。
図に例示したカルチベータユニット１のカルチベータ本体５は、中骨ビーム５ａの後部に耕作用の爪部材５ｂが結合されているとともに前部にゲージホイル５ｃが取付けられている。
なお、図の実施例のカルチベータ本体５は中骨ビーム５ａに除草タインなどの他の作業アタッチメント装着するための複数の取付口５ｄを形成してある。
【００１０】
上記の構成になるカルチベータユニット１において、本発明による自動高低支持装置６は、図２に分解図として示すように、下端付近軸方向に複数段（上下複数個所）のばね受け係止部７ａ、７ｂを所定間隔で形成し、上端付近軸方向に複数段（上下複数個所）のストッパ係止部８ａ、８ｂを所定間隔で形成したばねガイド棒９の外側回りに螺旋ばね１０を遊嵌・装備したうえで、ばね受け係止部７ａ又は７ｂにばねストッパ１１を装着して螺旋ばね１０の下端を係止させた前記ばねガイド棒９の下端部をカルチベータ本体５の中骨ビーム５ａに軸着するとともに、ばねガイド棒９の上端を前記ベースフレーム３の上辺に形成した開口部１２に貫通させ、上方へ突出したばねガイド棒９の上端付近に形成してあるいずれかのストッパ係止部８ａ又は８ｂに下限ストッパ１３を着脱可能に装着してベースフレーム３の上辺に係止させる構成になっている。
【００１１】
図の実施例ではばねガイド棒９の下端付近軸方向に設けたばね受け係止部、及び上端付近軸方向に設けたストッパ係止部を各々２個所に設定しているが、これに限定されるものではなく、２個以上であればよい。設定個所が多いほど、あるいは設定間隔が狭いほど自動高低支持装置６のばね強さ及び高低調整を広範囲にきめ細かく制御することができる。
【００１２】
図１に示すように、上記構成のカルチベータユニット１は、該カルチベータユニット１に直交する細長い牽引バー２の長手方向に沿って、畑の畝間に対応させて複数ユニットが結合される。各カルチベータユニット１の取付けは、ベースフレーム３の上面に設けた係合部１４（図２参照）と上方結合部材１５（図１参照）で牽引バー２を挟むようにして牽引バー２に堅固に固定される。
また、牽引バー２は中央部に前方へ延びる上下連結アーム１６、１７を一体に有している。
【００１３】
かくして、長手方向に沿って複数のカルチベータユニット１を結合した牽引バー２は、図３に示すように、上下連結アーム１６、１７の連結部をトラクタ１８の３点ロワリンク１９ａ、１９ｂに軸着して使用される。
【００１４】
次に、本発明によるカルチベータユニットの自動高低支持装置の作用を各図に基づいて説明する。
図１は、ばねガイド棒９に装着した螺旋ばね１０ａの下端をばね受け１０ｂとばねストッパ１１を介してばねガイド棒９の最下位ばね受け係止部７ａに係止させるとともに、ばねガイド棒９の最上位のストッパ係止部８ａに装着した下限ストッパ１３をベースフレーム３の上面に係止させた状態を示している。
この状態から、図４に示すように、ばねストッパ１１をばねガイド棒９の上位ばね受け係止部７ｂに差し換え、この係止部７ｂに螺旋ばね１０ａ下端のばね受け１０ｂを係止させると、カルチベータユニット１は図１の姿勢のまま自動高低支持装置６のばね強さが増す。
従って、トラクタ１８のタイヤ２０に対応するカルチベータユニット１の自動高低支持装置のみを上記のように操作してばね強さを強化することでカルチベータユニット群の爪部材５ｂの作用深度を均等に制御することができる。
【００１５】
他方、図３及び図６破線で示すようにトラクタ１８のロワリンク１９ａ、１９ｂで牽引バー２を持ち上げたときにカルチベータユニット１のゲージホイル５ｃがトラクタ１８のタイヤ２０に接触するおそれがある場合は、図５、図６に示すように、ばねガイド棒９の下限ストッパ１３を下位のストッパ係止部８ｂに付け換えてベースフレーム３の上面に係止させると、カルチベータ本体５は螺旋ばね１０ａのばね強さを変えずに後方へ変位し、ゲージホイル５ｃとタイヤ２０との干渉が回避される。
図６はカルチベータユニット１の上記変位を示すもので、下限ストッパ１３をばねガイド棒９の上位ストッパ係止部８ａ（破線）から下位ストッパ係止部８ｂへ付け換えることにより、カルチベータユニット１が螺旋ばね１０ａのばね強さを変えることなく実線位置から破線位置へ後退する。
【００１６】
本発明の自動高低支持装置は上記のばね強さ制御（ばねストッパ１１の装着位置変更）とカルチベータユニット１の前後位置制御（下限ストッパ１３の装着変更）を別々に独立して行うことができるので、図７に示すように、カルチベータユニット１を後方へ変位させた状態（図５）でばねストッパ１１を上位のばね受け係止部７ｂに付け換えてばね強さを強くすることができる。
【産業上の利用可能性】
【００１７】
本発明によるカルチベータユニットの自動高低支持装置は、ばねを取り換えずにばね強さとカルチベータユニットの前後姿勢を別々に制御できるので、特にトラクタのタイヤ部に対応するカルチベータユニットとして使用したときに多様の作用が得られ、農耕作業に有益である。
【符号の説明】
【００１８】
１…カルチベータユニット
２…牽引バー
３…ベースフレーム
４…平行リンク
５…カルチベータ本体
５ａ…中骨ビーム
５ｂ…爪部材
５ｃ…ゲージホイル
５ｄ…アタッチメント取付口
６…自動高低支持装置
７ａ、７ｂ…ばね受け係止部
８ａ、８ｂ…ストッパ係止部
９…ばねガイド棒
１０ａ…螺旋ばね
１０ｂ…ばね受け
１１…ばねストッパ
１２…開口部
１３…下限ストッパ
１４…係合部
１５…結合部材
１６、１７…連結アーム
１８…トラクタ
１９ａ、１９ｂ…ロワリンク
２０…タイヤ
【図１】
2010273571.tif 000003
【図２】
2010273571.tif 000004
【図３】
2010273571.tif 000005
【図４】
2010273571.tif 000006
【図５】
2010273571.tif 000007
【図６】
2010273571.tif 000008
【図７】
2010273571.tif 000009
【手続補正書】
【提出日】平成21年11月20日(2009.11.20)
【手続補正１】
【補正対象書類名】特許請求の範囲
【補正対象項目名】全文
【補正方法】変更
【補正の内容】
【特許請求の範囲】
【請求項１】
トラクタ牽引バーに取り付けられるベースフレームに、平行リンクを介してカルチベータ本体を揺動可能に連結し、ベースフレームとカルチベータ本体の中骨ビーム間に弾力支持装置を架設するとともに、中骨ビームの前方へ向けてゲージホイルを取付けたカルチベータユニットにおいて、前記弾力支持装置が、下端付近軸方向に複数段のばね受け係止部を設けるとともに、上端付近軸方向に複数段のストッパ係止部を設けたばねガイド棒に螺旋ばねを外嵌装着し、このばねガイド棒の下端部をカルチベータ本体の中骨ビームに軸着するとともに、ばねガイド棒上端を前記ベースフレームの上方へ突出させ、任意のストッパ係止部に装着したストッパをベースフレームの上面に係止させて、中骨ビームの前方へ向けて取付けたゲージホイルの先端位置を制御することができ、且つ、ばねガイド棒下端部の任意のばね受け係止部に螺旋ばねの下端を係止できるようにしたことを特徴とするカルチベータユニットの自動高低支持装置
【手続補正２】
【補正対象書類名】明細書
【補正対象項目名】０００５
【補正方法】変更
【補正の内容】
【０００５】
従って、本発明の目的は、螺旋ばねを交換することなく、ばね強さと、カルチベータ本体の中骨ビームの前方へ向けて取付けたゲージホイルの先端位置を、それぞれ別々に制御することができるカルチベータユニットの自動高低支持装置を提供することにある。
【手続補正３】
【補正対象書類名】明細書
【補正対象項目名】０００６
【補正方法】変更
【補正の内容】
【０００６】
上記目的を達成するために、本発明のカルチベータ自動高低支持装置は、トラクタ牽引バーに取り付けられるベースフレームに、平行リンクを介してカルチベータ本体を揺動可能に連結し、ベースフレームとカルチベータ本体の中骨ビーム間に弾力支持装置を架設するとともに、中骨ビームの前方へ向けてゲージホイルを取付けたカルチベータユニットにおいて、前記弾力支持装置が、下端付近軸方向に複数段のばね受け係止部を設けるとともに、上端付近軸方向に複数段のストッパ係止部を設けたばねガイド棒に螺旋ばねを外嵌装着し、このばねガイド棒の下端部をカルチベータ本体の中骨ビームに軸着するとともに、ばねガイド棒上端を前記ベースフレームの上方へ突出させ、任意のストッパ係止部に装着したストッパをベースフレームの上面に係止させて、中骨ビームの前方へ向けて取付けたゲージホイルの先端位置を制御することができ、且つ、ばねガイド棒下端部の任意のばね受け係止部に螺旋ばねの下端を係止できるようにしたことを特徴とする。
【手続補正書】
【提出日】平成22年2月2日(2010.2.2)
【手続補正１】
【補正対象書類名】特許請求の範囲
【補正対象項目名】全文
【補正方法】変更
【補正の内容】
【特許請求の範囲】
【請求項１】
トラクタ牽引バーに取り付けられるベースフレームに、平行リンクを介してカルチベータ本体を揺動可能に連結し、ベースフレームとカルチベータ本体の中骨ビーム間に弾力支持装置を架設するとともに、中骨ビームの前部に該中骨ビームの前方へ向けて延びるゲージホイルを取付けたカルチベータユニットにおいて、前記弾力支持装置が、下端付近軸方向に複数段のばね受け係止部を設けるとともに、上端付近軸方向に複数段のストッパ係止部を設けたばねガイド棒に螺旋ばねを外嵌装着し、このばねガイド棒の下端部をカルチベータ本体の中骨ビームに軸着するとともに、ばねガイド棒上端を前記ベースフレームの上方へ突出させ、任意のストッパ係止部に装着したストッパをベースフレームの上面に係止させて、中骨ビームの前部に該中骨ビームの前方へ向けて取付けたゲージホイルの先端位置を制御することができ、且つ、ばねガイド棒下端部の任意のばね受け係止部に螺旋ばねの下端を係止できるようにしたことを特徴とするカルチベータユニットの自動高低支持装置
【手続補正２】
【補正対象書類名】明細書
【補正対象項目名】０００５
【補正方法】変更
【補正の内容】
【０００５】
従って、本発明の目的は、螺旋ばねを交換することなく、ばね強さと、カルチベータ本体の中骨ビームの前部に該中骨ビームの前方へ向けて取付けたゲージホイルの先端位置を、それぞれ別々に制御することができるカルチベータユニットの自動高低支持装置を提供することにある。
【手続補正３】
【補正対象書類名】明細書
【補正対象項目名】０００６
【補正方法】変更
【補正の内容】
【０００６】
上記目的を達成するために、本発明のカルチベータ自動高低支持装置は、トラクタ牽引バーに取り付けられるベースフレームに、平行リンクを介してカルチベータ本体を揺動可能に連結し、ベースフレームとカルチベータ本体の中骨ビーム間に弾力支持装置を架設するとともに、中骨ビームの前部に該中骨ビームの前方へ向けて延びるゲージホイルを取付けたカルチベータユニットにおいて、前記弾力支持装置が、下端付近軸方向に複数段のばね受け係止部を設けるとともに、上端付近軸方向に複数段のストッパ係止部を設けたばねガイド棒に螺旋ばねを外嵌装着し、このばねガイド棒の下端部をカルチベータ本体の中骨ビームに軸着するとともに、ばねガイド棒上端を前記ベースフレームの上方へ突出させ、任意のストッパ係止部に装着したストッパをベースフレームの上面に係止させて、中骨ビームの前部に該中骨ビームの前方へ向けて取付けたゲージホイルの先端位置を制御することができ、且つ、ばねガイド棒下端部の任意のばね受け係止部に螺旋ばねの下端を係止できるようにしたことを特徴とする。
【手続補正４】
【補正対象書類名】明細書
【補正対象項目名】００１０
【補正方法】変更
【補正の内容】
【００１０】
上記の構成になるカルチベータユニット１において、本発明による自動高低支持装置６は、図２に分解図として示すように、下端付近軸方向に複数段（上下複数個所）のばね受け係止部７ａ、７ｂを所定間隔で形成し、上端付近軸方向に複数段（上下複数個所）のストッパ係止部８ａ、８ｂを所定間隔で形成したばねガイド棒９の外側回りに螺旋ばね１０ａを遊嵌・装備したうえで、ばね受け係止部７ａ又は７ｂにばねストッパ１１を装着して螺旋ばね１０ａの下端を係止させた前記ばねガイド棒９の下端部をカルチベータ本体５の中骨ビーム５ａに軸着するとともに、ばねガイド棒９の上端を前記ベースフレーム３の上辺に形成した開口部１２に貫通させ、上方へ突出したばねガイド棒９の上端付近に形成してあるいずれかのストッパ係止部８ａ又は８ｂに下限ストッパ１３を着脱可能に装着してベースフレーム３の上辺に係止させる構成になっている。